(57)【要約】【課題】ノックアウトが上昇端に達したことを確実に検出することが可能なノックアウト装置を提供すること。【解決手段】ノックアウト装置は、プレス機械に装着する金型の内部又はプレス機械に設けられ、ノックアウトを駆動するアクチュエータと、アクチュエータを駆動する駆動機構と、ノックアウトが上昇端に達したときに、ノックアウトの上昇端を規制し、ノックアウトの上昇を防げるノックアウト上昇端ストッパと、ノックアウト上昇端ストッパに発生する負荷を検出する負荷検出機構とを備える。【選択図】図２
2020019044.tif 000002
【特許請求の範囲】
【請求項１】
プレス機械に装着する金型の内部又はプレス機械に設けるノックアウト装置であって、
ノックアウトを駆動するアクチュエータと、
前記アクチュエータを駆動する駆動機構と、
前記ノックアウトが上昇端に達したときに、前記ノックアウトの上昇端を規制し、前記ノックアウトの上昇を防げるノックアウト上昇端ストッパと、
前記ノックアウト上昇端ストッパに発生する負荷を検出する負荷検出機構とを備えたことを特徴とするノックアウト装置。
【請求項２】
請求項１において、
前記負荷検出機構は、
前記負荷がない無負荷状態から前記負荷がある負荷状態に変化したことを示すタイミング、及び／又は、前記負荷状態から前記無負荷状態に変化したことを示すタイミングを検出することを特徴とするノックアウト装置。
【請求項３】
請求項１又は２において、
平面視で互いに異なる少なくとも３か所に設けられる複数の前記負荷検出機構を備えたことを特徴とするノックアウト装置。
【発明の詳細な説明】
【技術分野】
【０００１】
本発明は、プレス機械に装着する金型の内部又はプレス機械に設けるノックアウト装置に関する。
【背景技術】
【０００２】
プレス機械で成形する製品の形状によっては、プレス成形後の製品が金型から離間し難いことがある。このような製品を金型から離間させるノックアウト装置の構造が、例えば特許文献１、特許文献２、特許文献３に開示されている。
【先行技術文献】
【特許文献】
【０００３】
【特許文献１】特開２０１４−１１３６２０号公報
【特許文献２】特開２００１−３３４３３０号公報
【特許文献３】特開２００６−３０５５８３号公報
【発明の概要】
【発明が解決しようとする課題】
【０００４】
ノックアウト装置を用いても、製品が金型に固着してしまうと製品を金型から離間させることができない。その場合、製品を送り装置で次工程に送ることができず、二度打ちしてしまうという問題がある。
【０００５】
特許文献１では、プレス成形装置の成形パンチ（上型）が上昇すると、圧縮ばねが付勢するピンホルダに接続されたはね出しピンが上昇し、被加工部（製品）を成形ダイ（下型）から離間させる。しかし、製品の金型への固着力が圧縮ばねによる付勢力を上回ると、製品を金型から離間させることができない。特許文献１には、はね出しピンが上昇端まで達したときに近接センサが検知ピンに反応し、検出信号を出力する検知機構が開示されている。プレスサイクルが離間判定範囲である間に検知信号が出力されない場合は、製品が成形ダイから離間していないと判定し、二度打ちする前にプレス成形装置を停止させる。しかし、特許文献１のはね出し機構では、圧縮ばねによる付勢力が常時作用しているので、任意のプレスサイクルではね出しピンを上昇させることはできない。すなわち、ノックアウトの加工完了後（プレス機械の下死点通過後）に、ノックアウトをプレス機械のスライドの上昇に追従させずに下降端位置に留まらせ、下死点通過後の任意のタイミングでノックアウトを上昇させるロッキングを行うことはできない。
【０００６】
特許文献２では、クランク軸が回転すると、クランク軸に固設されたカムも回転し、揺動レバーが揺動する。そして、動力伝達ロッドが昇降動作を行う。動力伝達ロッドの昇降動作に伴い、従動レバーが揺動運動を行う。そして、回転軸を中心にしてレバーも揺動運動を行う。ここで、レバーの先端部にはノックアウトピンが当接しているので、ノックアウトピンが昇降動作を行う。カムの回転により、カムの山が、揺動レバーを介して動力伝達ロッドを上昇させ、ノックアウトピンを上昇させる。このように特許文献２では、ノックアウトピンの上昇がクランク軸の回転によって強制されるので、カムの形状から決定させるタイミングで確実に製品を金型から離間させることができる。しかし、成形する製品に合わせてノックアウトピンの上昇タイミングを変更することに関しては、カムの交換やカムのクランク軸に対する取付け位相の変更が必要となり現実的ではない。
【０００７】
特許文献３には、ノックアウトをプレス機械の下死点通過後の任意のタイミングで上昇させるノックアウト装置が開示されている。ここでは、ピストン兼ノックアウトピンの上
昇及び下降は、電磁切替弁の切り替えにより行っている。しかし、電磁切替弁の切り替えタイミングをプレスサイクルに対し常に一定に設定していても、ノックアウトが上昇を完了するタイミングは常に安定したものになるわけではない。これは、外部（環境）温度の変動や、稼働時間の経過に伴うノックアウト装置の温度、油温等の変動の影響を受けるからである。それらの影響により、電磁切替弁を切り替えてからの圧力媒体（油、エア、窒素ガス等）の単位時間当たりの供給量や、ノックアウト装置内の各部の摩擦抵抗、摺動抵抗が変化するため、ノックアウトが上昇を開始してから完了する（上昇端に達する）までの時間は一定しない。ノックアウトの上昇完了を検出するためには、ノックアウト装置の上昇端でのピストン位置を検出する位置センサを設置することが考えられる。しかし、圧力媒体で駆動するアクチュエータによりノックアウトを動作させるノックアウト装置を金型又はプレス機械内に組み込む場合には、構造上、位置センサの設置が困難なことが多い。位置センサでの検出ができない場合は、ノックアウト装置のピストンが上昇端に達したときの圧力の変動（サージ圧）を検出して上昇完了を検出することが考えられる。しかしこの方式では、ノックアウト装置以外の部分での部品の損傷や組み付け不良によりピストンの上昇端への戻りが阻害されたときも同様な圧力の変動が発生するため、誤検出の原因となる。従って、製品の取り出しタイミングは余裕をもって設定する必要があり、生産時のプレスＳＰＭの向上を阻害していた。
【０００８】
本発明は、以上のような課題に鑑みてなされたものであり、その目的とするところは、ノックアウトが上昇端に達したことを確実に検出することが可能なノックアウト装置を提供することにある。
【課題を解決するための手段】
【０００９】
（１）本発明に係るノックアウト装置は、プレス機械に装着する金型の内部又はプレス機械に設けるノックアウト装置であって、ノックアウトを駆動するアクチュエータと、前記アクチュエータを駆動する駆動機構と、前記ノックアウトが上昇端に達したときに、前記ノックアウトの上昇端を規制し、前記ノックアウトの上昇を防げるノックアウト上昇端ストッパと、前記ノックアウト上昇端ストッパに発生する負荷を検出する負荷検出機構とを備えたことを特徴とするノックアウト装置である。
【００１０】
本発明によれば、ノックアウトが上昇端に達したときに、ノックアウト上昇端ストッパに作用する負荷を負荷検出機構で検出することで、ノックアウトが上昇端に達したこと（製品１１が金型から離間したこと）を確実に検出することができる。
【００１１】
（２）本発明に係るノックアウト装置では、前記負荷検出機構は、前記負荷がない無負荷状態から前記負荷がある負荷状態に変化したことを示すタイミング、及び／又は、前記負荷状態から前記無負荷状態に変化したことを示すタイミングを検出してもよい。
【００１２】
本発明によれば、製品の取り出しタイミングをノックアウトの上昇完了に正確に合わせることができるため、生産時のプレスＳＰＭの向上を図ることができる。
【００１３】
（３）本発明に係るノックアウト装置では、平面視で互いに異なる少なくとも３か所に設けられる複数の前記負荷検出機構を備えていてもよい。
【００１４】
本発明によれば、複数の負荷検出機構が出力するそれぞれの負荷状態の変化のタイミングの差から、ノックアウト等が傾いたことを検出することができ、ノックアウト装置の異常を把握することができる。
【図面の簡単な説明】
【００１５】
【図１】プレス機械の全体構成を模式的に示す図。
【図２】本実施形態に係るノックアウト装置を内蔵した金型の断面を示す図（加工前の状態）。
【図３】本実施形態に係るノックアウト装置を内蔵した金型の断面を示す図（加工後の状態）。
【図４】ロッキング機構を備えた油圧回路の構成の一例を示す図。
【図５】ノックアウトを駆動するアクチュエータの断面を示す図（ピストンが上昇端に達している状態）。
【図６】ノックアウトを駆動するアクチュエータの断面を示す図（ピストンが下降している状態）。
【図７】センサをスリーブに取り付けた場合のアクチュエータの断面を示す図。
【図８】ノックアウトピンの長さが不均一であることでピストンの下降開始時に傾きが発生している状態を示す断面図。
【図９】センサをリテーナの外周側面の４か所に等間隔で配置した例を示す上面断面図。
【図１０】プレス機械のクランク角度に対応する、スライドストローク長さと、ノックアウトストローク長さと、センサ出力値の例を示す図。
【図１１】プレス機械のクランク角度に対応する、スライドストローク長さと、ノックアウトストローク長さと、センサ出力値の例を示す図（ピストンが傾いている状態）。
【発明を実施するための形態】
【００１６】
以下、本発明の実施の形態について図面を参照しながら詳細に説明する。
【００１７】
図１に、プレス機械の全体構成を模式的に示す。プレス機械１は、昇降可能なスライド２と、スライド２を駆動する駆動機構（クランクシャフト３、コネクティングロッド４）と、スライド２の下面に取り付けられた上ダイセット５と、下ダイセット６と、下ダイセット６を上面に載置固定したボルスタ７とを含む。本実施形態のノックアウト装置は、ボルスタ７側の金型（下型）の内部に設けられているが、図１ではノックアウト装置の図示を省略している。
【００１８】
図２、図３に、本実施形態に係るノックアウト装置を内蔵した金型構造の一例を示す。本実施形態のノックアウト装置は、油圧式ノックアウト装置である。図２は、加工前の状態の金型の断面を示す図であり、図３は、加工後の状態の金型の断面を示す図である。この金型は、パンチ８とノックアウト９とで上下から素材１０（図２参照）を拘束して所定の形状の製品１１（図３参照）の打ち抜きを行うものである。パンチ８は、スライド２に固定された上ダイセット５に対してパンチホルダ１２で固定される。また、上ダイセット５には、弾性体１３を介してストリッパ１４が取り付けられる。ボルスタ７に固定された下ダイセット６は、ピストン１５を有するシリンダ１６を内蔵する。下ダイセット６の上面にはバッキングプレート１７が固定され、バッキングプレート１７の上面にはダイス１８が固定される。ノックアウト９は、シリンダ１６の油圧室１９（圧力室）の油圧で上方に付勢されたピストン１５により、複数のノックアウトピン２０を介して支持される。油圧室１９には、油圧回路２１を介して油圧ユニット２２から油（圧力媒体）が供給される。ピストン１５を有するシリンダ１６は、ノックアウト９を駆動するアクチュエータとして機能し、油圧回路２１及び油圧ユニット２２は、当該アクチュエータを駆動する駆動機構として機能する。
【００１９】
スライド２が下死点まで下降する過程で、パンチ８、製品１１、ノックアウト９及びノックアウトピン２０を介してピストン１５が下降する。その際、油圧室１９から油圧回路２１を通って油圧ユニット２２へ油が排出される。図２、図３では、ノックアウト９（及びピストン１５）が上昇端に位置する状態を示している。ノックアウト９が上昇端に位置する状態において、ノックアウト９の上面とダイス１８の上面は同じ高さにある。シリン
ダ１６には、リテーナ２３がリテーナ取付ボルト２４により固定される。リテーナ２３は、ピストン１５が上昇端に達したときにピストン１５に当接し、ピストン１５の上昇端を規制する。すなわち、リテーナ２３は、ノックアウト９が上昇端に達したときにノックアウト９の上昇を防げる（ノックアウト９の上昇端を規制する）ノックアウト上昇端ストッパとして機能する。
【００２０】
ここで、常圧式のノックアウト装置では、スライド２が下死点を通過した後に上昇するパンチ８に追従（同期）してノックアウト９及びピストン１５が上昇し、製品１１が、打ち抜きで生じたスクラップ２５（図３参照）の孔の中に押し戻される現象が発生する。このような現象の発生を防止するためには、スライド２が下死点に達した時点で油圧室１９に通じる油圧回路２１を閉じ、スライド２が下死点を通過して上昇に転じてからも、スライド２が所定の位置に上昇するまでピストン１５を下降端に留まらせるロッキングを行い、その後油圧回路２１を開くことにより製品１１の上昇を遅らせればよい。本実施形態のノックアウト装置は、このようなロッキングを行うロッキング機構を備える。
【００２１】
以下、ノックアウト９のロッキングを行う際の金型の動きを説明する。加工開始時に素材１０は、ダイス１８の上面より突出したリフタ２６上に載置されている。リフタ２６は、弾性体２７により付勢されている。スライド２の下降に従って、パンチ８及びストリッパ１４と素材１０とが接触する。その後、素材１０はパンチ８及びストリッパ１４により押し下げられ、素材１０の下降に従ってリフタ２６も下降する。素材１０がダイス１８の上面に接触した時点で、ストリッパ１４は、弾性体１３の付勢力により、素材１０のパンチ８に接触する部分以外の範囲を押さえる。その後のスライド２の下降に従い、素材１０にパンチ８が押し込まれて製品１１を得る打ち抜き加工が進行する。その際、ノックアウトピン２０を介してピストン１５により上方に付勢されたノックアウト９も素材１０に接触しているために、素材１０のうち製品１１となる部分は、パンチ８とノックアウト９に挟みこまれた状態となり、反りや曲り等の変形が抑制される。その後、下死点までスライド２は下降する。スライド２が下死点に達した時点で、ロッキング機構によりピストン１５の位置が最下点で固定される。下死点通過後にスライド２は上昇に転じ、パンチ８等の上型は上昇するが、ノックアウト９は最下点に止まっているため、製品１１はダイス１８内に留まる。スライド２が上昇しパンチ８がスクラップ２５から抜けた位置から、ストリッパ１４もスライド２の上昇に伴って上昇する。ストリッパ１４の上昇に伴い、スクラップ２５も弾性体２７により付勢されたリフタ２６により押し上げられて上昇する。その上昇量（リフタ２６のダイス１８上面からの突出距離）は、素材１０の板厚よりも概ね数ｍｍだけ大きい。ピストン１５は、リフタ２６の上昇が完了した時点で、ロッキングが解除されることで上昇する。ピストン１５の上昇によりノックアウトピン２０を介してノックアウト９が上昇し、製品１１が、ダイス１８からノックアウトされる。ノックアウトされた製品１１は、送り装置によって、リフタ２６により形成された隙間から図中横方向（すなわち、素材１０の送り方向と直角方向）に送られて取り出される。
【００２２】
図４に、ロッキング機構を備えた油圧回路２１の構成の一例を示す。油圧回路２１は、油圧電磁弁２８を含み、油圧ユニット２２は、油タンク２９と、油圧ポンプ３０と、アキュムレータ３１とを含む。油圧ポンプ３０は、油タンク２９に収容された油をアキュムレータ３１に供給する。油圧ポンプ３０とアキュムレータ３１間の流路には、油圧ポンプ３０側に油が逆流することを防ぐチェック弁３２が設けられている。アキュムレータ３１は、油を蓄え、シリンダ１６の油圧室１９に油を供給する圧力源として機能する。スライド２が下死点に向けて下降する間、油圧電磁弁２８は励磁され、油圧室１９から油圧電磁弁２８を介してアキュムレータ３１に油が流れる。油圧電磁弁２８とアキュムレータ３１間の流路には、絞り弁３３が設けられている。スライド２が下死点に達すると、プレス機械１のコントローラからの信号に基づき、油圧電磁弁２８の励磁が停止され、油圧室１９とアキュムレータ３１間で油が流れなくなるとともに、油圧室１９から油圧電磁弁２８を介
して油タンク２９に油が流れるようになる（油圧室１９に油圧がかからなくなる）。スライド２が下死点を通過して上昇に転じた後、リフタ２６の上昇が完了すると、プレス機械１のコントローラからの信号に基づき、油圧電磁弁２８が再び励磁され、アキュムレータ３１から油圧電磁弁２８を介して油圧室１９に油が流れるようになり、ピストン１５が上昇する。なお、アキュムレータ３１と油圧室１９間の流路には、アキュムレータ３１から油圧室１９に直接（油圧電磁弁２８を介さずに）油が流れることを防ぐチェック弁３４が設けられている。
【００２３】
本実施形態のノックアウト装置では、ノックアウト９の上昇端を規制するリテーナ２３（ノックアウト上昇端ストッパの一例）に発生する負荷を検出することで、ノックアウト９が上昇端に達したこと（ノックアウト９の上昇完了）を検出する。
【００２４】
図５は、油圧室１９の油圧によりピストン１５が押し上げられて上昇し、ピストン１５がその上昇端を規制するリテーナ２３に当接している状態を示す図である。上昇端に達したピストン１５の下面には油圧３５が作用し、ピストン１５に上向きの付勢力を発生させる。この付勢力はピストン１５に当接するリテーナ２３に作用するので、リテーナ取付ボルト２４でシリンダ１６に固定されたリテーナ２３には、曲げモーメント３６が発生する。このときリテーナ取付ボルト２４には、曲げモーメント３６による引張力３７が付加される。図２、図３、図５に示す例では、リテーナ２３の側面にセンサ３８（負荷検出機構の一例）を取り付け、このセンサ３８で、曲げモーメント３６によりリテーナ２３に発生するひずみを測定することで、リテーナ２３に発生する負荷を検出する。センサ３８は、ひずみゲージや圧電素子等である。センサ３８からの信号は、下ダイセット６に設けられた信号線配線用溝３９に敷設されたセンサ信号線４０を通じて計測器４１に出力される。
【００２５】
図６は、スライド２の下降によりピストン１５が下降している状態を示す図である。ピストン１５の上面には、スライド２の下降によりパンチ８、製品１１、ノックアウト９及びノックアウトピン２０を介して伝わるピストン押し下げ力４２が作用する。このとき、ピストン１５はリテーナ２３と離間しているため、リテーナ２３に負荷がかかることはなく、曲げモーメント３６は発生しない。従って、センサ３８で、曲げモーメント３６による負荷が検出されることもない。すなわち、センサ３８で負荷が検出される場合には、ピストン１５、延いてはノックアウト９が上昇端に位置すると判断し、センサ３８で負荷が検出されない場合には、ノックアウト９が上昇端に位置しないと判断することができる。また、負荷がない無負荷状態から負荷がある負荷状態に変化したタイミングを、ノックアウト９が上昇端に達した（ノックアウト９の上昇が完了した）タイミングとして検出することができる。計測器４１は、センサ３８からの信号に基づきノックアウト９が上昇端に達したと判断した場合に、送り装置に信号を送信し、送り装置は、計測器４１からの信号に基づきノックアウトされた製品１１を次工程に送る。
【００２６】
図７に示す例では、リテーナ取付ボルト２４と同一の中心軸を有するスリーブ４３の側面にセンサ４４（負荷検出機構の他の例）を取り付け、このセンサ４４で、引張力３７によるスリーブ４３の変形を測定することで、リテーナ２３に発生する負荷を検出する。センサ４４は、ひずみゲージや圧電素子等である。この例では、リテーナ取付ボルト２４は、スリーブ４３の顎部を介してリテーナ２３を押さえ、リテーナ２３をシリンダ１６に固定する。このとき、スリーブ４３の顎部は、リテーナ取付ボルト２４の締め付けにより圧縮されている。リテーナ取付ボルト２４によりリテーナ２３をシリンダ１６に締め付けているので、ピストン１５がリテーナ２３に当接していなくてもリテーナ取付ボルト２４には引張力が発生している。しかし、このときの引張力は締付け力と呼び、引張力３７と区別する。引張力３７とは、ピストン１５が上昇端でリテーナ２３に当接してリテーナ２３に上向きの力を作用させ、それによりリテーナ取付ボルト２４に付加される分の引張力のことである。その引張力３７に応じてスリーブ４３の顎部は更に圧縮される。そして、こ
のスリーブ４３の顎部の更なる圧縮によりスリーブ４３が変形し、その変形はセンサ４４で検出され、センサ４４からの信号は、信号線配線用溝３９に敷設されたセンサ信号線４０を通じて計測器４１に出力される。図７に示す例においても、図５に示す例と同様に、センサ４４で検出される負荷の有無によって、ノックアウト９が上昇端に位置するか否かを判断することができる。計測器４１は、センサ４４からの信号に基づきノックアウト９が上昇端に達したと判断した場合に、送り装置に信号を送信し、送り装置は、計測器４１からの信号に基づき、ノックアウトされた製品１１を次工程に送る。
【００２７】
図８に、ピストン１５の下降開始時に傾きが発生する例を示す。ピストン１５の下降開始時の傾きは、ノックアウトピン２０の長さの不均一や異物の噛み込みなどで、ピストン押し下げ力４２がピストン１５の上面に均一に作用しない場合に発生する。スライド２の下降に伴いピストン１５が上昇端から下降を開始するとき、複数のノックアウトピン２０のうち最も長い（或いは、異物の噛み込みのある）ノックアウトピンの下端が、当接しているピストン１５の上面を最も早く押し下げる。すると、ピストン１５からリテーナ２３に作用する上向きの付勢力は、円周方向の異なる位置では異なるタイミングで消失することになり、リテーナ２３に発生していた曲げモーメント３６も、リテーナ２３の円周方向の異なる位置では異なるタイミングで消失する。図８、図９に示すように、平面視で互い異なる少なくとも３か所に負荷検出機構（ここでは、センサ３８）を配置することで、ピストン１５が上昇端から下降を開始する際に、複数の負荷検出機構から負荷の消失（負荷状態から無負荷状態への変化）が検出されるそれぞれのタイミングを知ることができる。それらのタイミングに差があれば、ノックアウトピン２０の長さが不均一であることやノックアウトピン２０が異物を噛み込んでいることを把握することができ、また、それらのタイミングの差から、ピストン１５の傾き（平行度）を検出することができる。図８、図９に示す例では、センサ３８を、リテーナ２３の外周側面の４か所に９０°等間隔で配置している。なお、リテーナ２３の側面に取り付けられるセンサ３８に代えて、スリーブ４３の側面に取り付けられるセンサ４４を、平面視で互い異なる少なくとも３か所に配置するようにしてもよい。
【００２８】
図１０に、プレス機械１のクランク角度に対応する、スライド２のストローク長さ４５と、ノックアウト９のストローク長さ４６と、負荷検出機構（センサ３８、センサ４４）のセンサ出力値４７の一例を示す。図１０に示すように、ノックアウト下降開始角度４８までは、センサ出力値４７は０より大の一定値であるが、それ以降はセンサ出力値４７が０となる。そして、プレス下死点４９を通過後のノックアウト上昇完了角度５０で、センサ出力値４７は回復し、以降、センサ出力値４７は０より大の一定値となる。このように、センサ出力値４７から、ノックアウト９が下降を開始するタイミング（負荷状態から無負荷状態に変化したことを示すタイミング）と、ノックアウト９が上昇を完了するタイミング（無負荷状態から負荷状態に変化したことを示すタイミング）を確実にモニタリングすることができる。
【００２９】
図８、図９に示すように、負荷検出機構を４か所に配置した場合、ピストン１５の上面にピストン押し下げ力４２が均一に作用し、ピストン１５が平行に押し下げられるのであれば、４か所の負荷検出機構からのセンサ出力値４７は同時に変化する。しかし、ノックアウトピン２０の長さが不均一であること等に起因してピストン１５が平行に押し下げられない場合には、図１１に示すように、４か所の負荷検出機構のセンサ出力値４７が変化するタイミングに差が生じるので、ノックアウトピン２０の長さの不均一や異物の噛み込み、ピストン１５の傾き等の異常をモニタすることができる。
【００３０】
以上のように、本実施形態のノックアウト装置によれば、ノックアウト９が上昇端に達したときにノックアウト上昇端ストッパ（リテーナ２３）に作用する負荷を負荷検出機構（センサ３８、センサ４４）で検出することで、ノックアウト９が上昇端に達したこと（
製品１１が金型から離間したこと）を確実に検出することができ、これにより、製品１１の取り出しタイミングをノックアウト９の上昇完了に正確に合わせることができるため、生産時のプレスＳＰＭの向上を図ることができる。また、本実施形態のノックアウト装置によれば、平面視で互いに異なる少なくとも３か所に負荷検出機構を配置することで、複数の負荷検出機構が出力するそれぞれの負荷状態の変化のタイミングの差から、ノックアウト９やピストン１５が傾いたことを検出することができ、ノックアウトピン２０の長さが不均一であることや異物を噛み込んでいることの把握や、アクチュエータの予防保全を行うことができる。
【００３１】
上記実施形態では、ノックアウト９及びピストン１５が上昇端に達したときにピストン１５に当接するリテーナ２３をノックアウト上昇端ストッパとし、ピストン１５の当接によりリテーナ２３に発生する負荷を検出する負荷検出機構を設ける例について説明したが、本発明はこれに限られない。例えば、ノックアウトが上昇端に達したときにノックアウトに当接する部材をノックアウト上昇端ストッパとし、ノックアウトの当接により当該部材に発生する負荷を検出する負荷検出機構を設けるようにしてもよい。すなわち、ノックアウト上昇端ストッパは、ノックアウトが上昇端に達したときに、ノックアウトに当接するものであってもよいし、ノックアウトの動作に同期して動作する部材に当接するものであってもよい。
【００３２】
また、上記実施形態では、本発明を、プレス機械に装着する下型の内部に設けたノックアウト装置に適用する例について説明したが、本発明はこれに限られない。本発明は、プレス機械の上型の内部に設けたノックアウト装置や、プレス機械のスライドやボルスタに設けたノックアウト装置に適用することもできる。なお、本発明では、ノックアウトが動作して動作端に達した位置を上昇端と呼ぶ。ノックアウトをスライド側（スライドや上型内部）に設けた場合、ノックアウトはスライドに対して相対的に下向きに動作することになるが、この場合も、ノックアウト動作の動作端を上昇端と呼ぶこととする。すなわち、実際の上下方向に係わらず、ノックアウトの動作方向をノックアウトの上昇方向、その反対方向をノックアウトの下降方向と呼ぶ。
【００３３】
また、本発明に係るノックアウト装置は、ノックアウト専用のノックアウト装置に限定されるものではなく、ノックアウト機能を有するダイクッション装置も含む。本発明を、ノックアウト機能を有するダイクッション装置に適用する場合、クッションパッドはノックアウト９に対応し、クッションピンはノックアウトピン２０に対応する。
【００３４】
なお、上記のように本発明の実施の形態について詳細に説明したが、本発明の新規事項及び効果から実体的に逸脱しない多くの変形が可能であることは当業者には容易に理解できよう。
【符号の説明】
【００３５】
１…プレス機械、２…スライド、３…クランクシャフト、４…コネクティングロッド、５…上ダイセット、６…下ダイセット、７…ボルスタ、８…パンチ、９…ノックアウト、１０…素材、１１…製品、１２…パンチホルダ、１３…弾性体、１４…ストリッパ、１５…ピストン、１６…シリンダ、１７…バッキングプレート、１８…ダイス、１９…油圧室、２０…ノックアウトピン、２１…油圧回路、２２…油圧ユニット、２３…リテーナ、２４…リテーナ取付ボルト、２５…スクラップ、２６…リフタ、２７…弾性体、２８…油圧電磁弁、２９…油タンク、３０…油圧ポンプ、３１…アキュムレータ、３２…チェック弁、３３…絞り弁、３４…チェック弁、３５…油圧、３６…曲げモーメント、３７…引張力、３８…センサ（負荷検出機構）、３９…信号線配線用溝、４０…センサ信号線、４１…計測器、４２…ピストン押し下げ力、４３…スリーブ、４４…センサ（負荷検出機構）、４５…スライドストローク長さ、４６…ノックアウトストローク長さ、４７…センサ出力値
、４８…ノックアウト下降開始角度、４９…プレス下死点、５０…ノックアウト上昇完了角度
【図１】
2020019044.tif 000003
【図２】
2020019044.tif 000004
【図３】
2020019044.tif 000005
【図４】
2020019044.tif 000006
【図５】
2020019044.tif 000007
【図６】
2020019044.tif 000008
【図７】
2020019044.tif 000009
【図８】
2020019044.tif 000010
【図９】
2020019044.tif 000011
【図１０】
2020019044.tif 000012
【図１１】
2020019044.tif 000013